(57)【要約】      （修正有）【課題】筆記用具を着脱可能に保持する保持手段を持つレバーアーチ型ファイル機構に用いる押え部品、レバーアーチ型ファイル機構、及び用紙保持具を提供する。【解決手段】レバーアーチ型ファイル機構(１０４)のための押え部品(１１４)は、２つの開口部を有する基材と、この基材により支えられる一対の弾性ロッドと、この一対の弾性ロッドの相対的な位置を変えるように動作するボタン部材と、ペンの如き筆記用具を着脱可能に保持するための弾力性のある円筒状のホルダ(１１６)とを備えている。【選択図】図１
2008296571.tif 000002
【特許請求の範囲】
【請求項１】
複数の開口部を有する基材と、
前記基材に配設された一対の弾性ロッドと、
移動して前記弾性ロッド間の相対的な位置を変更する作動体と、を備えたレバーアーチ型ファイル機構に用いる押え部品であって、
少なくとも１つの筆記用具を着脱可能に保持する保持手段を備えていることを特徴とする、押え部品。
【請求項２】
前記保持手段が略円筒状の形状を有していることを特徴とする、請求項１に記載の押え部品。
【請求項３】
前記保持手段がワイヤ部材から構成されていることを特徴とする、請求項１又は２に記載の押え部品。
【請求項４】
前記保持手段が弾力性を有していることを特徴とする、請求項１又は２に記載の押え部品。
【請求項５】
前記保持手段が前記筆記用具を受け入れるための貫通孔を有していることを特徴とする、請求項２に記載の押え部品。
【請求項６】
前記保持手段が連結部材によって前記基材に固定されていることを特徴とする、請求項１に記載の押え部品。
【請求項７】
前記連結部材が少なくとも１つの固定部材を介して前記基材に固定されていることを特徴とする、請求項６に記載の押え部品。
【請求項８】
前記連結部材が前記基材と一体に形成されていることを特徴とする、請求項６に記載の押え部品。
【請求項９】
前記連結部材の少なくとも一部が前記保持手段の内部に受け入れられることを特徴とする、請求項６に記載の押え部品。
【請求項１０】
基盤と、
前記基盤に固定されたポスト部材、及び、前記ポスト部材に対して移動可能なアーチ部材を有するとともに、前記基盤を基端として外方に延び、用紙の孔と係合するように構成された少なくとも２つのリングと、
前記アーチ部材を前記ポスト部材に対して回転させて、前記リングが閉じた閉鎖位置、又は、前記リングが開いた開放位置となるように操作できるレバーと、
前記ポスト部材を挿入する複数の開口部が設けられた基材、前記基材に配設された一対の弾性ロッド、及び、移動して前記弾性ロッド間の相対的な位置を変更する作動体を有する押え部品と、を備えたレバーアーチ型ファイル機構であって、
前記押え部品が、少なくとも１つの筆記用具を着脱可能に保持するための保持手段を有することを特徴とする、レバーアーチ型ファイル機構。
【請求項１１】
少なくとも２つのポスト部材と、
前記ポスト部材を受け入れる複数の開口部が設けられた基材、前記基材に配設された一対の弾性ロッド、及び、移動して前記弾性ロッド間の相対的な位置を変更する作動体とを有する押え部品と、を備えた用紙保持具であって、
前記押え部品が、少なくとも１つの筆記用具を着脱可能に保持するための保持手段を有することを特徴とする、用紙保持具。
【発明の詳細な説明】
【技術分野】
【０００１】
本発明は、レバーアーチ型ファイル機構に用いる押え部品に関し、特に、レバーアーチ型ファイルを構成するために基材に取り付けられた機構に関する。
【背景技術】
【０００２】
一般的なレバーアーチ型ファイル機構は片腕レバーを備えている。この片腕レバーの作動により、基材に固定されたポスト部材に対してアーチ部材を回転させてリングを開放し、穴の開いた用紙をこのファイル機構から取り出すか挿入した後、ポスト部材をアーチ部材に当接させて閉鎖リングを形成して用紙を保持することができる。また、このような従来型の機構は、ポスト部材がそれぞれ１ずつ挿入される２つの開口部を有する押え部品を備えている。ポスト部材とアーチ部材が当接するとリングが形成され、押え部品はこのリングに沿って移動できるようになる。
【０００３】
押え部品は、ボタン部材と可撓性を有する一対の弾性ロッドを有している。このボタン部材を移動させることで、弾性ロッドの相対位置を変更することができる。具体的には、ボタン部材は、第一の位置と第二の位置の間を移動することができる。第一の位置では弾性ロッドがポスト部材を把持して押え部品がポスト部材に対して移動ができず、第二の位置はポストが弾性ロッドから自由になって押え部品がポスト部材に対して移動することができる。このような構成により、押え部品は、２つのリングにより保持されている用紙を押圧して用紙がポスト部材、ひいてはファイル機構に対して移動しないようにすることができる。
【発明の開示】
【発明が解決しようとする課題】
【０００４】
ユーザが会議などのために従来型のレバーアーチ型ファイルを所持して移動している場合、必要なときに筆記用具は容易に入手できないために不便を感じかつ当惑してしまうような場合がしばしばある。そこで、本発明は上記の欠点を軽減したレバーアーチ型ファイル機構に用いる押え部品、レバーアーチ型ファイル機構、及び用紙保持具を提供すること、もしくは少なくともこれらの有用な代替品を顧客や公衆に提供することを目的としている。
【課題を解決するための手段】
【０００５】
本発明の第一の態様によれば、レバーアーチ型ファイル機構に用いる押え部品は、複数の開口部を有する基材と、前記基材に配設された一対の弾性ロッドと、移動して前記弾性ロッド間の相対的な位置を変更する作動体と、少なくとも１つの筆記用具を着脱可能に保持する保持手段と、を備えていることを特徴としている。
【０００６】
本発明の第二の態様によれば、レバーアーチ型ファイル機構は、基盤と、前記基盤に固定されたポスト部材、及び、前記ポスト部材に対して移動可能なアーチ部材を有するとともに、前記基盤を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバーと、前記ポスト部材を挿入する複数の開口部が設けられた基材、前記基材に配設された一対の弾性ロッド、及び、移動して前記弾性ロッド間の相対的な位置を変更する作動体を有する押え部品と、を備え、前記押え部品が、少なくとも１つの筆記用具を着脱可能に保持するための保持手段を有することを特徴としている。
【０００７】
本発明の第三の態様によれば、用紙保持具は、少なくとも２つのポスト部材と、前記ポスト部材を受け入れる複数の開口部が設けられた基材、前記基材に配設された一対の弾性ロッド、及び、移動して前記弾性ロッド間の相対的な位置を変更する作動体とを有する押え部品と、を備え、前記押え部品が、少なくとも１つの筆記用具を着脱可能に保持するための保持手段を有することを特徴としている。
【発明を実施するための最良の形態】
【０００８】
ここで、例示のみを目的として、本発明の実施形態を添付の図面を参照して記載する。図１および図２には、本発明の第一の実施形態にかかる押え部品を有するレバーアーチ型ファイル機構を備えたファイルが示されているとともに、その全体が符号１００により表されている。ファイル１００は、レバーアーチ型ファイル機構１０４が固定される基材（例えば、厚紙カバー１０２）から構成されている。ファイル機構１０４は、穴の空いている一束の用紙１０６をファイル１００に保持できるように構成されている。
【０００９】
ファイル機構１０４はレバー１０５を備えており、このレバー１０５は、基盤１１２に固定された一対のポスト部材１１０に対してアーチ部材１０８を回転させて、一対の穴が空いた用紙１０６をファイル機構１０４から取り出すかまたはファイル機構に挿入し、その後、ポスト部材１１０およびアーチ部材１０８を閉じて一対の閉鎖リングを形成することができる。これによって、用紙１０６をファイル１００に保持することができる。また、ファイル機構１０４は、筆記用具、たとえばペン１１９を着脱可能に保持するための弾力性のある円筒状ホルダ１１６を有する押え部品１１４を備えている。
【００１０】
図３〜図６に示されているように、押え部品１１４は、ポスト部材１１０の１つをそれぞれ受け入れる２つの開口部１１８を有する基材１１７を備えている。ポスト部材１１０およびアーチ部材１０８が互いに当接すると、ポスト部材１１０およびアーチ部材１０８により一対のリングが形成され、押え部品１１４はこのリングに沿って移動できるようになる。
【００１１】
押え部品１１４には一対の可撓性を有する弾性ロッド１２０が配設されており、基材１１７上のボタン部材１２２の動作によって、弾性ロッド１２０間の相対的な位置を変更することができる。具体的には、ボタン部材１２２は、第一の位置と第二の位置との間を移動することができる。第一の位置では弾性ロッド１２０がポスト部材１１０を把持して押え部品１１４がポスト部材１１０に対して移動できず、第二の位置ではポスト部材１１０が弾性ロッド１２０から自由となって押え部品１１４とポスト部材１１０との間で相対的な移動ができる。このような構成により、押え部品１１４を用いて、２つのリングによって保持されている紙１０６を押圧させることにより紙１０６とポスト部材１１０、ひいてはファイル機構との間の相対的な移動を防止することが可能となる。
【００１２】
図７に示されているように、基材１１７の長手方向の端部には、２つの孔１２４が設けられている。この２つの孔１２４は、２個のリベット１２８（図５および図６を参照）を介して、図８に示されているような連結部材１２６と係合するためのものである。図４をさらに参照すると、所定の長さを有するワイヤ１３０（金属、プラスチックあるいはファイバから形成されうる）を円筒形状となるように巻回することにより、ホルダ１１６が形成されている。これにより、ペン１１９を着脱可能に保持するための貫通孔１３２が形成される。また、ホルダ１１６は、連結された複数のリンクから構成される弾力性のあるバンドの形態を有していてもよい。連結部材１２６の舌部１３４は、ホルダ１１６の中へと延びており、連結部材１２６をワイヤ１３０、ひいてはホルダ１１６と係合させている。
【００１３】
図９および図１０には、本発明の第二の実施形態にかかる押え部品を有するレバーアーチ型ファイル機構を備えたファイルが示されているとともに、その全体が符号２００により表されている。図１０から明らかなように、ファイル２００のレバーアーチ型ファイル機構２０４の押え部品２１４は、筆記用具、たとえばペン１１９を着脱可能に保持するための弾力性のある円筒状ホルダ１１６を支えている。
【００１４】
図１２からさらに明らかなように、本実施形態に係るホルダ２１６は、基材２１７に一体式に形成されている連結部材２２６を介して、押え部品２１４の基材２１７と係合されている。先の実施形態の場合と同様、連結部材２２６の舌部２３４は、ホルダ２１６の内部へと延び、ホルダ２１６と係合するようになっている。
【００１５】
図１６および図１７には、本発明の第三の実施形態にかかる押え部品を有するレバーアーチ型ファイル機構を備えたファイルが示されているとともに、その全体が符号３００により表されている。図１７から明らかなように、ファイル３００のレバーアーチ型ファイル機構３０４の押え部品３１４は、筆記用具、たとえばペン３１９を着脱可能に保持するための弾力性のある円筒状ホルダ１１６を支えている。
【００１６】
図１９からさらに明らかなように、本実施形態に係るホルダ３１６は、基材３１７に一体式に形成されている連結部材３２６を通じて、押え部品３１４の基材３１７と係合されている。また、先の実施形態の場合と同様に、連結部材３２６の舌部３３４は、ホルダ３１６の内部へと延び、ホルダ３１６と係合するようになっている。
【００１７】
図１２に示されているように、第二の実施形態に係るファイル機構２０４では、連結部材２２６は、基材２１７の上面から延びているとともに、下方に向かって延びている突出部２３６を有している。しかし、図１９に示されるように、本実施形態に係るファイル機構３０４では、連結部材３２６は基材３１７の側面から伸びている。
【００１８】
以上では、ファイルを形成するために厚紙に固定されたレバーアーチ型ファイル機構に用いられる押え部品について記載したが、これらの押え部品１１４、２１４、３１４を他の文房具類に用いてもよい。たとえば、押え部品１１４の２つの開口部１１８の距離と同じ間隔をおいて配置された２つのポスト部材（剛性または可撓性を有しうる）を有するライティングボード（プラスチック、金属または厚紙により構成されうる）に用いてもよい。このようなライティングボードであれば、用紙の上端部に複数設けられた保持用の孔に、上記２つのポスト部材を挿入することができる。そして、用紙を押圧するようにポスト部材を適宜把持して押え部品１１４、２１４、３１４をポスト部材に係合させることで、ライディングボードに用紙を着脱可能に保持させることができる。
【００１９】
いうまでもなく、上記の記載は、本発明を実行しうる具体例を示しているだけであり、さまざまな変更および／または変形が発明の精神から逸脱することなく加えられてもよい。
【００２０】
また、いうまでもなく、本発明の特徴は明瞭さのために別個の実施形態において記載されているが、これらの特徴は、単一の実施形態において組み合わせて用いられてもよい。これとは異なり、簡潔さのために単一の実施形態に記載されている本発明のさまざまな特徴が、別々に提供されてもよいしまたは任意の適切なより小さな組み合わせで提供されてもよい。
【図面の簡単な説明】
【００２１】
【図１】本発明の第一の実施形態にかかる押え部品を有するレバーアーチ型ファイル機構を備えたファイルを示す部分斜視図である。
【図２】ペンを保持する図１のファイルを示している。
【図３】図１に示されているファイルの押え部品を示す図であって、（ａ）は正面図、（ｂ）は底面図、（ｃ）は平面図、（ｄ）は右側面図、（ｅ）は左側面図である。
【図４】図３のＩ−Ｉ線に沿った拡大断面図である。
【図５】図３に示されている押え部品を示す分解図である。
【図６】図３に示されている押え部品を示す斜視図である。
【図７】図３に示されている押え部品の基材を示す図であって、（ａ）は正面図、（ｂ）は底面図、（ｃ）は平面図、（ｄ）は右側面図、（ｅ）は左側面図である。
【図８】図３に示されている押え部品の連結部材を示す図であって、（ａ）は正面図、（ｂ）は底面図、（ｃ）は平面図、（ｄ）は右側面図、（ｅ）は左側面図である。
【図９】本発明の第二の実施形態にかかる押え部品を有するレバーアーチ型ファイル機構を備えたファイルを示す部分斜視図である。
【図１０】ペンを保持する図９のファイルを示している。
【図１１】図９に示されているファイルの押え部品を図であって、（ａ）は正面図、（ｂ）は底面図、（ｃ）は平面図、（ｄ）は右側面図、（ｅ）は左側面図である。
【図１２】図１１のＩＩ−ＩＩ線に沿った拡大断面図である。
【図１３】図１１に示されている押え部品を示す分解図である。
【図１４】図１１に示されている押え部品を示す斜視図である。
【図１５】図１１に示されている押え部品の基材を示す図であって、（ａ）は正面図、（ｂ）は底面図、（ｃ）は平面図、（ｄ）は右側面図、（ｅ）は左側面図である。
【図１６】本発明の第三の実施形態にかかる押え部品を有するレバーアーチ型ファイル機構を備えたファイルを示す部分斜視図である。
【図１７】ペンを保持する図１６のファイルを示している。
【図１８】図１６に示されているファイルの押え部品を示す図であって、（ａ）は正面図、（ｂ）は底面図、（ｃ）は平面図、（ｄ）は右側面図、（ｅ）は左側面図である。
【図１９】図１８のＩＩＩ−ＩＩＩ線に沿った拡大断面図である。
【図２０】図１８に示されている押え部品を示す分解図である。
【図２１】図１８に示されている押え部品を示す斜視図である。
【図２２】図１８に示されている押え部品の基材を示す図であって、（ａ）は正面図、（ｂ）は底面図、（ｃ）は平面図、（ｄ）は右側面図、（ｅ）は左側面図である。
【図１】
2008296571.tif 000003
【図２】
2008296571.tif 000004
【図３】
2008296571.tif 000005
【図４】
2008296571.tif 000006
【図５】
2008296571.tif 000007
【図６】
2008296571.tif 000008
【図７】
2008296571.tif 000009
【図８】
2008296571.tif 000010
【図９】
2008296571.tif 000011
【図１０】
2008296571.tif 000012
【図１１】
2008296571.tif 000013
【図１２】
2008296571.tif 000014
【図１３】
2008296571.tif 000015
【図１４】
2008296571.tif 000016
【図１５】
2008296571.tif 000017
【図１６】
2008296571.tif 000018
【図１７】
2008296571.tif 000019
【図１８】
2008296571.tif 000020
【図１９】
2008296571.tif 000021
【図２０】
2008296571.tif 000022
【図２１】
2008296571.tif 000023
【図２２】
2008296571.tif 000024